(57)【要約】【課題】太陽光発電パネルを容易に設置し得る太陽光発電パネルの設置構造を提供する。【解決手段】太陽光発電パネル２１の設置構造２は、法面Ｐ１を形成するポケット付きブロック１０Ａと、法面Ｐ２を形成するポケット付きブロック１０Ｂと、太陽光発電パネル２１を支持する架台２２と、を備える。架台２２は、ポケット付きブロック１０Ａに固定される支柱２４Ａと、ポケット付きブロック１０Ｂに固定される支柱２４Ｂと、支柱２４Ａ，２４Ｂを連結する本体枠２３と、を有し、平坦面Ｆ２を跨ぐようにポケット付きブロック１０Ａ，１０Ｂの間に掛け渡される。【選択図】図１
2019039216.tif 000002
【特許請求の範囲】
【請求項１】
第１造成斜面と、前記第１造成斜面の上方に設けられた第２造成斜面と、前記第１造成斜面と前記第２造成斜面との間に形成された造成平坦面と、を有する階段状の地形に太陽光発電パネルを設置する構造であって、
前記第１造成斜面上に配置されて第１法面を形成する第１ブロックと、
前記第２造成斜面上に配置されて第２法面を形成する第２ブロックと、
前記太陽光発電パネルを支持する架台と、を備え、
前記架台は、
前記第１ブロックに固定される第１固定部と、
前記第２ブロックに固定される第２固定部と、
前記第１固定部と前記第２固定部とを連結する本体部と、を有し、
前記造成平坦面を跨ぐように前記第１ブロックと前記第２ブロックとの間に掛け渡される、太陽光発電パネルの設置構造。
【請求項２】
前記第１固定部は、前記第１法面を構成する複数の前記第１ブロックのうち最上段に配置された前記第１ブロックに固定され、
前記第２固定部は、前記第２法面を構成する複数の前記第２ブロックのうち最下段に配置された前記第２ブロックに固定される、請求項１に記載の太陽光発電パネルの設置構造。
【請求項３】
前記第１固定部は、一端が前記本体部に固定されると共に他端が前記第１ブロックに埋め込まれる第１脚部であり、
前記第２固定部は、一端が前記本体部に固定されると共に他端が前記第２ブロックに埋め込まれる第２脚部であり、
前記本体部は、前記造成平坦面に対して傾いている、請求項１又は２に記載の太陽光発電パネルの設置構造。
【請求項４】
前記本体部は、前記太陽光発電パネルの一辺を直接に支持する支持部を有し、前記造成平坦面に対して略平行に延びる、請求項１又は２に記載の太陽光発電パネルの設置構造。
【請求項５】
第１造成斜面と、前記第１造成斜面の上方に設けられた第２造成斜面と、前記第１造成斜面と前記第２造成斜面との間に形成された造成平坦面と、を有する階段状の地形において、前記第１造成斜面に第１ブロックを配置して第１法面を形成すると共に前記第２造成斜面に第２ブロックを配置して第２法面を形成する工程と、
前記第１ブロックに固定される第１固定部と、前記第２ブロックに固定される第２固定部と、前記第１固定部と前記第２固定部とを連結する本体部と、を有する架台を前記第１ブロック及び前記第２ブロックに対して固定する工程と、
前記架台に太陽光発電パネルを設置する工程と、
を有する、太陽光発電パネルの設置方法。
【請求項６】
第１造成斜面と、前記第１造成斜面の上方に設けられた第２造成斜面と、前記第１造成斜面と前記第２造成斜面との間に形成された造成平坦面と、を有する階段状の地形に設けられる太陽光発電施設であって、
太陽光発電パネルと、
請求項１〜４のいずれか一項に記載の太陽光発電パネルの設置構造と、を備える、太陽光発電施設。
【発明の詳細な説明】
【技術分野】
【０００１】
本発明は、太陽光発電パネルの設置構造、太陽光発電パネルの設置方法及び太陽光発電施設に関する。
【背景技術】
【０００２】
近年、大規模な太陽光発電施設が設置されている。このような大規模施設は、複数の太陽光発電パネルを設置するため、広い平地を要する。しかし、大規模な太陽光発電施設の増加に伴い、そのような広い平地の確保が難しくなっている。そこで、太陽光発電パネルを平地ではなく、傾斜地に設置する事例が増加しつつある。特許文献１〜８には、傾斜地へ太陽光発電パネルを設置する技術が開示されている。
【先行技術文献】
【特許文献】
【０００３】
【特許文献１】特許第５８４４１１２号
【特許文献２】特開２０１４−１６９５３０号公報
【特許文献３】特開２０１４−９５２８３号公報
【特許文献４】特開２０１５−２０１９９８号公報
【特許文献５】特開２０１６−３４２００号公報
【特許文献６】特開２０１５−１２７５０１号公報
【特許文献７】特開２０１１−１６８９５９号公報
【特許文献８】特開２０１１−１９６０１６号公報
【発明の概要】
【発明が解決しようとする課題】
【０００４】
大規模な太陽光発電施設を設置するために、傾斜地を掘削することにより平坦地を確保することがある。しかし、傾斜地を平坦地に造成する工事は、大規模になりやすく環境面やコスト面で負担が大きくなる傾向にある。
【０００５】
そこで、本発明は、太陽光発電パネルを容易に設置し得る、太陽光発電パネルの設置構造、太陽光発電パネルの設置方法及び太陽光発電施設を提供する。
【課題を解決するための手段】
【０００６】
本発明の一形態は、第１造成斜面と、第１造成斜面の上方に設けられた第２造成斜面と、第１造成斜面と第２造成斜面との間に形成された造成平坦面と、を有する階段状の地形に太陽光発電パネルを設置する構造であって、第１造成斜面上に配置されて第１法面を形成する第１ブロックと、第２造成斜面上に配置されて第２法面を形成する第２ブロックと、太陽光発電パネルを支持する架台と、を備え、架台は、第１ブロックに固定される第１固定部と、第２ブロックに固定される第２固定部と、第１固定部と第２固定部とを連結する本体部と、を有し、造成平坦面を跨ぐように第１ブロックと第２ブロックとの間に掛け渡される。
【０００７】
この構造では、太陽光発電パネルを支持する架台が第１法面を構成する第１ブロックに固定されると共に、第２法面を構成する第２ブロックに固定される。このような構造によれば、架台は造成平坦面を跨ぐように配置されるので、太陽光発電パネルも造成平坦面上に配置される。造成平坦面は、第１法面と第２法面との間に設けられた面であるから、太陽光発電パネルも第１法面と第２法面との間に配置されることになる。このような構造によれば、複数の太陽光発電パネルを設置するためには、第１法面、第２法面及び造成平坦面を造成する工事を行えば足り、傾斜地を造成して広大な平坦面を確保する工事と比較して事前工事の負荷を大幅に低減することが可能である。さらに、この構成によれば、架台の基礎となる構造物と、第１法面及び第２法面を覆う構造物とが共通化される。つまり、第１ブロック及び第２ブロックを配置することにより、架台の基礎が構築されるので、太陽光発電パネルを設置するための基礎を構築する工程を省略することが可能になる。従って、太陽光発電パネルを配置するための事前工事の負荷が大幅に低減されると共に、太陽光発電パネルを設置するための基礎工事の一部が省略されるので、太陽光発電パネルを容易に設置することができる。
【０００８】
一形態において、第１固定部は、第１法面を構成する複数の第１ブロックのうち最上段に配置された第１ブロックに固定され、第２固定部は、第２法面を構成する複数の第２ブロックのうち最下段に配置された第２ブロックに固定されてもよい。この構成によれば、太陽光発電パネルに作用する風荷重に対して十分な抵抗力を発揮することができる。
【０００９】
一形態において、第１固定部は、一端が本体部に固定されると共に他端が第１ブロックに埋め込まれる第１脚部であり、第２固定部は、一端が本体部に固定されると共に他端が第２ブロックに埋め込まれて、第１脚部よりも長い第２脚部であり、本体部は、造成平坦面に対して傾いていてもよい。太陽光発電パネルの発電効率は、パネルへの太陽光の入射角度に関係する。この構造によれば、第１脚部の長さと第２脚部の長さとを所定の関係に調整することが可能になる。従って、太陽光発電パネルを所望の発電効率を得ることが可能な角度に設置することができる。
【００１０】
一形態において、本体部は、太陽光発電パネルの一辺を直接に支持する支持部を有し、造成平坦面に対して略平行に延びてもよい。この構成によれば、太陽光発電パネルを所望の傾きに設置することが可能になる。従って、太陽光発電パネルを所望の発電効率を得ることが可能な角度に設置することができる。
【００１１】
本発明の別の形態である太陽光発電パネルの設置方法は、第１造成斜面と、第１造成斜面の上方に設けられた第２造成斜面と、第１造成斜面と第２造成斜面との間に形成された造成平坦面と、を有する階段状の地形において、第１造成斜面に第１ブロックを配置して第１法面を形成すると共に第２造成斜面に第２ブロックを配置して第２法面を形成する工程と、第１ブロックに固定される第１固定部と、第２ブロックに固定される第２固定部と、第１固定部と第２固定部とを連結する本体部と、を有する架台を第１ブロック及び第２ブロックに対して固定する工程と、架台に太陽光発電パネルを設置する工程と、有する。
【００１２】
この方法によれば、太陽光発電パネルを配置するための事前工事の負荷が大幅に低減されると共に、太陽光発電パネルを設置するための基礎工事の一部が省略されるので、太陽光発電パネルを容易に設置することができる。
【００１３】
本発明のさらに別の形態である太陽光発電施設は、第１造成斜面と、第１造成斜面の上方に設けられた第２造成斜面と、第１造成斜面と第２造成斜面との間に形成された造成平坦面と、を有する階段状の地形に設けられる太陽光発電施設であって、太陽光発電パネルと、上記の太陽光発電パネルの設置構造と、を備える。
【００１４】
この施設によれば、太陽光発電パネルが上記の設置構造によって階段状の地形に配置される。従って、太陽光発電パネルを配置するための事前工事の負荷が大幅に低減されると共に、太陽光発電パネルを設置するための基礎工事の一部が省略されるので、太陽光発電パネルを容易に設置することができる。
【発明の効果】
【００１５】
本発明によれば、太陽光発電パネルを容易に設置し得る太陽光発電パネルの設置構造、太陽光発電パネルの設置方法及び太陽光発電施設が提供される。
【図面の簡単な説明】
【００１６】
【図１】図１は、実施形態に係る太陽光発電施設を説明するための斜視図である。
【図２】図２は、図１に示す太陽光発電施設の側面図である。
【図３】図３は、図２に示すパネルユニットを示す側面図である。
【図４】図４は、太陽光発電施設を設置する方法の主な工程を示す図である。
【図５】図５は、太陽光発電施設を設置する方法の主な工程を示す図である。
【図６】図６は、太陽光発電施設を設置する方法の主な工程を示す図である。
【図７】図７は比較例に係る太陽光発電施設を説明するための側面図である。
【図８】図８は実施形態に係る太陽光発電施設を説明するための側面図である。
【図９】図９は、変形例１に係る太陽光発電施設を示す斜視図である。
【図１０】図１０は、変形例１に係る太陽光発電施設の法面パネルユニットを示す側面図である。
【図１１】図１１の（ａ）部は変形例２に係る太陽光発電施設を示す側面図であり、図１１の（ｂ）部は変形例３に係る太陽光発電施設を示す側面図であり、図１１の（ｃ）部は変形例４に係る太陽光発電施設を示す側面図である。
【図１２】図１２は変形例５に係る太陽光発電施設を示す側面図である。
【発明を実施するための形態】
【００１７】
以下、添付図面を参照しながら本発明を実施するための形態を詳細に説明する。図面の説明において同一の要素には同一の符号を付し、重複する説明を省略する。
【００１８】
図１及び図２に示されるように、本実施形態に係る太陽光発電施設１は、階段状地形１００に設置される。階段状地形１００は、地山の傾斜面を造成した階段状の土地である。階段状地形１００は、複数の法面Ｐ１〜Ｐ４（第１法面、第２法面）と複数の平坦面Ｆ１〜Ｆ４（造成平坦面）とを有する。法面Ｐ１〜Ｐ４及び平坦面Ｆ１〜Ｆ４は、斜め方向Ｄ１に沿って交互に設けられる。
【００１９】
法面Ｐ１〜Ｐ４は、複数のポケット付きブロック１０（複数の第１ブロック、複数の第２ブロック）により構成された擁壁面である。法面Ｐ１は、例えば水平方向Ｄ２に対して６０度傾いている。法面Ｐ１の鉛直方向（高さ方向Ｄ３）の長さ（高さＬ２）は、５メートル未満であり、一例として４メートルである。ポケット付きブロック１０は、斜面Ｂ１〜Ｂ４（第１造成斜面、第２造成斜面）を保護する擁壁ブロックであり、斜面Ｂ１〜Ｂ４上に二次元状に配置される。つまり、ポケット付きブロック１０は、高さ方向Ｄ３に沿って積み上げられると共に、斜面Ｂ１〜Ｂ４の延在方向Ｄ４に沿って並置される。ポケット付きブロック１０は、後述するパネルユニット２０を固定するためのポケット１１（図３参照）を有する。
【００２０】
平坦面Ｆ２〜Ｆ４は、法面Ｐ１〜Ｐ４の間に設けられる。例えば、平坦面Ｆ２は、法面Ｐ１と法面Ｐ２との間に設けられる。平坦面Ｆ１〜Ｆ４は、水平面に対して実質的に平行であるが、雨水の排水が可能な程度のわずかな傾きを有してもよい。例えば、平坦面Ｆ２の幅Ｌ１は、設置される太陽光発電パネルの寸法や、設置後のメンテナンスのための通路の確保などを考慮して適宜設定してよい。なお、平坦面Ｆ２の幅Ｌ１とは、斜面Ｂ１の上端から斜面Ｂ２の下端までの水平方向Ｄ２に沿った距離をいう（図２参照）。
【００２１】
本実施形態に係る太陽光発電施設１は、平坦面Ｆ２〜Ｆ４ごとに設けられたパネルユニット２０を有する。それぞれのパネルユニット２０は、複数の太陽光発電パネル２１と、太陽光発電パネル２１を支持する架台２２とを有する。なお、太陽光発電施設１は、パネルユニット２０の他にも付帯設備を有するが、それらの図示及び説明は省略する。
【００２２】
図３は、平坦面Ｆ２に設置されたパネルユニット２０を示す側面図である。太陽光発電パネル２１は、平面視して矩形状を呈する。太陽光発電パネル２１は、一例として長辺が１．６メートルであり、短辺が１メートルである。
【００２３】
架台２２は、太陽光発電パネル２１が所定の姿勢を保つように太陽光発電パネル２１を支持する。架台２２は、本体枠２３（本体部）と支柱２４Ａ（第１固定部、第１脚部）及び支柱２４Ｂ（第２固定部、第２脚部）とを有する。本体枠２３には、太陽光発電パネル２１が締結部品（不図示）などによって固定される。本体枠２３は、縦材２３ａと、横材２３ｂと、により構成され、これらの部材はボルトによって互いに締結されている。
【００２４】
支柱２４Ａの上端部は、本体枠２３の下縁部を構成する横材２３ｂにボルトによって締結される。また、支柱２４Ａの下端部は、下側の法面Ｐ１を構成するポケット付きブロック１０Ａに固定される。つまり、支柱２４Ａは、法面Ｐ１の最上段に配置されたポケット付きブロック１０Ａに埋め込まれる。
【００２５】
支柱２４Ｂの上端部は、本体枠２３の上縁部を構成する横材２３ｂにボルトによって締結される。また、支柱２４Ｂの下端部は、上側の法面Ｐ２を構成するポケット付きブロック１０Ｂに固定される。つまり、支柱２４Ｂは、法面Ｐ２の最下段に配置されたポケット付きブロック１０Ｂに埋め込まれる。
【００２６】
つまり、架台２２は、ポケット付きブロック１０Ａ，１０Ｂに対して固定される。そうすると、架台２２の基礎は、ポケット付きブロック１０Ａ，１０Ｂが担当しているといえる。従って、太陽光発電パネル２１の設置構造２は、ポケット付きブロック１０Ａ，１０Ｂと、架台２２と、によって構成される。
【００２７】
このような構成によれば、架台２２は、ポケット付きブロック１０Ａからポケット付きブロック１０Ｂへ掛け渡されるように配置される。このような架台２２に太陽光発電パネル２１が取り付けられると、太陽光発電パネル２１は、平坦面Ｆ２を覆う。
【００２８】
また、太陽光発電パネル２１は、側面視して平坦面Ｆ２に対して所定の傾きを有する。具体的には、太陽光発電パネル２１は、法面Ｐ２と同じ方向を向いている。ここでいう「同じ方向を向く」とは、法面Ｐ２の法線における水平成分の向きと、太陽光発電パネル２１の法線における水平成分の向きとが同じ方向であることをいう。換言すると、太陽光発電パネル２１は、法面Ｐ２と対面することはない。
【００２９】
この傾きは、架台２２によって維持されている。具体的には、架台２２を側面視すると、本体枠２３の上縁部が下縁部よりも上方に位置する。この構成は、支柱２４Ａが固定されたポケット付きブロック１０Ａよりも支柱２４Ｂが固定されたポケット付きブロック１０Ｂが上方にあるためである。この傾きは、太陽光発電パネル２１への太陽光の入射角度によって決められる。
【００３０】
次に、太陽光発電施設１の設置方法を説明する。
【００３１】
まず、図４の（ａ）部に示されるように、二点鎖線で示された領域１０２の土を取り除く（工程Ｓ１）。図４の（ｂ）部に示されるように、取り除いた土１０３は、地山斜面１０１の近傍に仮置きされる。この工程により、掘削面１０４が形成される。
【００３２】
次に、図４の（ｃ）部に示されるように、１段目のポケット付きブロック１０を設置する（工程Ｓ２）。このとき、ポケット付きブロック１０は、掘削面１０４との間に隙間１０５を設けるように設置する。続いて、裏込め充填を行う。具体的には、仮置きした土１０３や砕石、コンクリートなどを隙間１０５に詰め込む。
【００３３】
次に、図５の（ａ）部に示されるように、２段目のポケット付きブロック１０を設置する（工程Ｓ３）。具体的には、２段目のポケット付きブロック１０は、１段目のポケット付きブロック１０の上に載置される。このとき、２段目のポケット付きブロック１０は、１段目のポケット付きブロック１０のポケット１１を塞がない。また、１段目のポケット付きブロック１０を設置したときと同様に、２段目のポケット付きブロック１０は、掘削面１０４との間に隙間１０５を設けるように設置する。続いて、裏込め充填を行う。
【００３４】
同様に、図５の（ｂ）部に示されるように、３段目のポケット付きブロック１０を配置し、裏込め充填する（工程Ｓ４）。このとき、３段目のポケット付きブロック１０の高さは、掘削面１０４よりも高くなることがある。この場合でも、３段目のポケット付きブロック１０と掘削面１０４との隙間１０５、及び、３段目のポケット付きブロック１０と地山斜面１０１との間１０６に仮置きした土１０３を充填する。
【００３５】
そして、図５の（ｃ）部に示されるように、４段目のポケット付きブロック１０を配置し、裏込め充填する（工程Ｓ５）。４段目のポケット付きブロック１０は、地山斜面１０１と対面する。この４段目のポケット付きブロック１０と地山斜面１０１との間に、土１０３を充填する。そうすると、４段目のポケット付きブロック１０と地山斜面１０１との間に充填された土１０３は、その上面１０３ａが平坦面Ｆ２の一部を形成する。
【００３６】
以下、工程Ｓ１〜Ｓ５を繰り返すことにより、階段状地形１００が得られる。この工程Ｓ１〜Ｓ５では、土１０３をポケット付きブロック１０と掘削面１０４との隙間１０５と、ポケット付きブロック１０と地山斜面１０１との間１０６と、の充填に用いる。つまり、平坦面Ｆ２〜Ｆ４の造成に利用する。そうすると、階段状地形１００の造成によって排出される土工量を低減することができる。
【００３７】
次に、支柱２４Ａ，２４Ｂをそれぞれポケット付きブロック１０のポケット１１に配置し、当該モルタル等により支柱２４Ａ，２４Ｂの下端部を埋め込む（工程Ｓ６）。次に、図６の（ｂ）部に示されるように、支柱２４Ａ，２４Ｂ上に本体枠２３を組み立てる（工程Ｓ７）。本体枠２３を組み立てる手順には、特に制限はない。次に、図６の（ｃ）部に示されるように、本体枠２３に太陽光発電パネル２１を取り付ける（工程Ｓ８）。以下、階段状地形１００の平坦面Ｆ３，Ｆ４において、同様の工程Ｓ６〜Ｓ８を繰り返し実施する。そして、付帯設備の設置を行うことにより、太陽光発電施設１の設置が完了する。
【００３８】
以下、本実施形態に係る太陽光発電施設１、太陽光発電パネルの設置構造２、及び太陽光発電パネルの設置方法の作用効果について説明する。
【００３９】
日本国内において、大規模な太陽光発電に適した平地が少なくなっている。そこで、傾斜地への太陽光発電パネルの設置も行われつつある。傾斜地へ太陽光発電パネルを設置する場合は、例えば、傾斜面に沿って太陽光発電パネルを直接設置することがある。また、傾斜地を平地に造成してパネルを設置することもある。
【００４０】
傾斜地へ太陽光発電パネルを設置する場合には、作業面が傾斜しているので、平地と同様の作業による設置が難しくなる。例えば、傾斜面では、重機を用いた作業を行うことが難しい。特に、大規模な発電施設の設置には、作業の機械化が重要である。そうすると、重機を利用できない傾斜面に対して大規模な発電施設を設置することは困難である。
【００４１】
また、傾斜地を広い平地に造成する場合には、土を移動させる土工量が膨大になり、工事負担が増大する。さらに、環境面やコスト面でも問題が大きくなり易い。
【００４２】
この太陽光発電施設１及び太陽光発電パネル２１の設置構造２では、太陽光発電パネル２１を支持する架台２２が法面Ｐ１を構成するポケット付きブロック１０Ａに固定されると共に、法面Ｐ２を構成するポケット付きブロック１０Ｂに固定される。このような構造によれば、架台２２は平坦面Ｆ２を跨ぐように配置されるので、太陽光発電パネル２１も平坦面Ｆ２上に配置される。平坦面Ｆ２は、法面Ｐ１と法面Ｐ２との間に設けられた面であるから、太陽光発電パネル２１も法面Ｐ１と法面Ｐ２との間に配置される。このような構造によれば、複数の太陽光発電パネル２１を設置するためには、法面Ｐ１〜Ｐ４及び平坦面Ｆ１〜Ｆ４を造成する工事を行えば足りる。従って、太陽光発電施設１及び太陽光発電パネル２１の設置構造２は、傾斜地を造成して広大な平坦面を確保する工事と比較して工事の負荷を大幅に低減することが可能である。
【００４３】
図７は、比較例に係る太陽光発電施設２００の側面を示す。比較例に係る太陽光発電施設２００は、実施形態に係る太陽光発電施設１と同形状を有する地山斜面１０１に設置される。太陽光発電施設２００は、全てのパネルユニット２０１を同じ平坦面ＦＡに設置している点で、実施形態に係る太陽光発電施設１と相違する。このような平坦面ＦＡを造成する場合には、図７における領域Ａ１の土を取り除く必要がある。
【００４４】
一方、図８に示されるように、本実施形態に係る太陽光発電施設１は、領域Ａ２の土を取り除くだけでよい。そうすると、本実施形態に係る太陽光発電施設１は、造成時の土工量（領域Ａ２）を比較例に係る太陽光発電施設２００における土工量（領域Ａ１）に比べて大幅に低減できる。一例として、本実施形態に係る太陽光発電施設１は、比較例に係る太陽光発電施設２００に対して土工量を９０パーセント程度削減することも可能である。そして、領域Ａ２から取り除いた土１０３は、法面の形成に利用する。従って、太陽光発電施設１の設置にあたって、土を移動させる土工量が著しく低減する。
【００４５】
さらに、この構成によれば、架台２２の基礎となる構造物と、法面Ｐ１〜Ｐ４を覆う構造物とが共通化される。つまり、ポケット付きブロック１０を配置することにより、架台２２の基礎が構築されるので、太陽光発電パネル２１を設置するための基礎を構築する工程を省略することが可能になる。
【００４６】
従って、太陽光発電パネル２１を配置するための事前工事の負荷が大幅に低減されると共に、太陽光発電パネル２１を設置するための基礎工事の一部が省略されるので、太陽光発電パネル２１を容易に設置することができる。
【００４７】
支柱２４Ａは、法面Ｐ１を構成する複数のポケット付きブロック１０のうち最上段に配置されたポケット付きブロック１０Ａに固定される。支柱２４Ｂは、法面Ｐ２を構成する複数のポケット付きブロック１０のうち最下段に配置されたポケット付きブロック１０Ｂに固定される。この構成によれば、太陽光発電パネル２１に作用する風荷重に対して十分な抵抗力を発揮することができる。
【００４８】
支柱２４Ａは、上端部が本体枠２３に固定されると共に下端部がポケット付きブロック１０Ａに埋め込まれる。支柱２４Ｂは、上端部が本体枠２３に固定されると共に下端部がポケット付きブロック１０Ｂに埋め込まれる。本体枠２３は、平坦面Ｆ２に対して傾く。太陽光発電パネル２１の発電効率は、パネルへの太陽光の入射角度に関係する。この構造によれば、支柱２４Ａの長さと支柱２４Ｂの長さとを所定の関係に調整することが可能になる。従って、太陽光発電パネル２１を所望の発電効率を得ることが可能な角度に設置することができる。
【００４９】
以上、本発明をその実施形態に基づいて詳細に説明した。しかし、本発明は上記実施形態に限定されるものではない。本発明は、その要旨を逸脱しない範囲で様々な変形が可能である。
【００５０】
＜変形例１＞
図９に示されるように、変形例１に係る太陽光発電施設１Ａは、第１実施形態に係る太陽光発電施設１が備えるパネルユニット２０に加えて、さらに複数の法面パネルユニット３０を有してもよい。法面パネルユニット３０は、法面Ｐ２〜Ｐ４を覆うように配置される。変形例１に係る太陽光発電施設１Ａによれば、階段状地形１００に設置される太陽光発電パネル２１，３１の数が増加するので、発電量をさらに高めることができる。
【００５１】
図１０に示されるように、法面パネルユニット３０は、太陽光発電パネル３１と架台３２とを有し、架台３２は、支柱３４がポケット付きブロック１０Ｃに固定される。太陽光発電パネル３１の下縁部は、下側の太陽光発電パネル２１の上縁部に近接する。また、太陽光発電パネル３１の上縁部は、上側の太陽光発電パネル２１の下縁部に近接する。つまり、太陽光発電パネル２１，３１によって形成される面は、階段状地形１００の形状に沿って連続する。このような配置によれば、階段状地形１００を覆うパネル面積を最大化することができる。
【００５２】
＜変形例２＞
図１１の（ａ）部に示されるように、変形例２に係る太陽光発電施設１Ｂは、第１実施形態に係る太陽光発電施設１とは異なる法面ＰＡを有してもよい。具体的には、法面ＰＡは、ポケット付きブロック１０に代えて、いわゆる法面保護ブロック４０によって構成される。本明細書において、ポケット付きブロック１０と法面保護ブロック４０との違いとは、ポケット付きブロック１０はポケット１１を有するが、法面保護ブロック４０はポケット１１に相当する構成を有しない点である。パネルユニット５０は、太陽光発電パネル５１と架台５２とを有する。架台５２は、本体枠５３と支柱５４Ａ，５４Ｂとを有する。そして、支柱５４Ａ，５４Ｂは、法面保護ブロック４０の固定孔に差し込まれて、固定される。
【００５３】
＜変形例３＞
図１１の（ｂ）部に示されるように、変形例３に係る太陽光発電施設１Ｃは、第１実施形態に係る太陽光発電施設１とは異なる法面ＰＡとパネルユニット６０とを有してもよい。変形例３に係る法面ＰＡは、変形例２と同様にポケット１１を有しない法面保護ブロック４０により構成される。また、変形例３に係るパネルユニット６０は、法面ＰＡに対して平行となるように配置された太陽光発電パネル６１を有する。パネルユニット６０は、太陽光発電パネル６１と架台６２とを有する。そして、架台６２は、本体枠６３と、固定部６４Ａ及び支柱６４Ｂとを有する。本体枠６３の下縁部６３ａは、下段側の法面保護ブロック４０に対して固定される。本体枠６３の上縁部６３ｂは、支柱６４Ｂによって上段側の法面保護ブロック４０に対して固定される。
【００５４】
＜変形例４＞
図１１の（ｃ）部に示されるように、変形例４に係る太陽光発電施設１Ｄは、変形例３に係る太陽光発電施設１Ｃの一部をさらに変形したものである。具体的には、パネルユニット７０は太陽光発電パネル７１と架台７２とを有する。架台７２は、本体枠７３と連結部７４Ａと支柱７４Ｂとを有する。連結部７４Ａは、下段側の法面保護ブロック４０に連結され、法面保護ブロック４０に対する本体枠７３の連結角度を可変とする。変形例４に係る構成によれば、上段側の法面保護ブロック４０に固定される支柱７４Ｂの長さを調整することにより、太陽光発電パネル７１の設置角度ＡＮを調整することが可能になる。従って、太陽光発電パネル７１の設置自由度を高めることができる。
【００５５】
＜変形例５＞
図１２に示されるように、変形例５に係る太陽光発電施設１Ｅは、実施形態に係る太陽光発電施設１とは異なるパネルユニット８０を有する。変形例５に係るパネルユニット８０は、太陽光発電パネル８１と、架台８２とを有する。この架台８２は、平坦面Ｆ２に対して傾いておらず、平坦面Ｆ２に沿って下段の法面Ｐ１から上段の法面Ｐ２に向かって略水平に延びている。換言すると、架台８２は、平坦面Ｆ２に対して略平行に延びる。さらに、架台８２には、複数の太陽光発電パネル８１がベースレール８５（支持部）を介して設置される。図１０に示す例示では、３台の太陽光発電パネル８１が示されているが、太陽光発電パネル８１の数は３台に限定されることなく、１台でもよいし、４台以上でもよい。ベースレール８５は、太陽光発電パネル８１の一辺を直接に支持する。なお、太陽光発電パネル８１は、ベースレール８５によって支持された辺と逆側の辺について、留め金具若しくは支柱などにより支持されてもよい。固定部８４Ａは、下段側の法面Ｐ１を構成するポケット付きブロック１０Ａにアンカー止め等を利用して固定される。固定部８４Ｂは、上段側の法面Ｐ２を構成するポケット付きブロック１０Ｂの下面に固定される。つまり、固定部８４Ｂは、ポケット付きブロック１０Ｂと平坦面Ｆ２との間に挟まれている。このような構成によれば、ポケット付きブロック１０Ａ，１０Ｂが基礎ブロックとして機能する。
【符号の説明】
【００５６】
１，１Ａ，１Ｂ，１Ｃ，１Ｄ，１Ｅ，２００…太陽光発電施設、２…設置構造、１００…階段状地形、１０，１０Ａ，１０Ｂ，１０Ｃ…ポケット付きブロック、１１…ポケット、２０，５０，６０，７０，８０…パネルユニット、２１，３１，５１，６１，７１，８１…太陽光発電パネル、２２，３２，５２，６２，７２，８２…架台、２３，５３，６３，７３…本体枠、２４Ａ，２４Ｂ，３４，５４Ａ，５４Ｂ，６４Ｂ，７４Ｂ…支柱、３０…法面パネルユニット、４０…法面保護ブロック、６４Ａ，８４Ａ，８４Ｂ…固定部、７４Ａ…連結部、１０１…地山斜面、１０３…土、ＡＮ…設置角度、Ｂ１〜Ｂ４…斜面（造成斜面）、Ｄ１…斜め方向、Ｄ２…水平方向、Ｄ３…高さ方向、Ｄ４…延在方向、Ｆ１〜Ｆ４，ＦＡ…平坦面（造成平坦面）、Ｐ１〜Ｐ４，ＰＡ…法面。
【図１】
2019039216.tif 000003
【図２】
2019039216.tif 000004
【図３】
2019039216.tif 000005
【図４】
2019039216.tif 000006
【図５】
2019039216.tif 000007
【図６】
2019039216.tif 000008
【図７】
2019039216.tif 000009
【図８】
2019039216.tif 000010
【図９】
2019039216.tif 000011
【図１０】
2019039216.tif 000012
【図１１】
2019039216.tif 000013
【図１２】
2019039216.tif 000014